(57)【要約】 【課題】発光部（発光面）の面積、あるいは発光光量を用途に応じて変更できるようなＬＥＤ照明装置を提供する。【解決手段】反射板７ａ、ＬＥＤ５ａおよび導光板６ａで構成される発光部ユニット４ａが、反射板７ｂ、ＬＥＤ５ｂおよび導光板６ｂで構成される発光部ユニット４ｂの反射板７ｂと導光板６ｂの間の空間に摺動自在に支持され、発光部ユニット４ａが発光部ユニット４ｂに対してスライド格納された状態では積層状態にある発光部ユニット４ａの導光板６ａおよび発光部ユニット４ｂの導光板６ｂと、および発光部ユニット４ａの反射板７ａにより面発光照明が行なわれ、発光部ユニット４ａが発光部ユニット４ｂから引き出された状態では発光部ユニット４ａ、４ｂのそれぞれの反射板、ＬＥＤおよび導光板によって面発光照明が行なわれる。【選択図】図３
2011204497.tif 000002
【特許請求の範囲】
【請求項１】
後面に反射板を配置した導光板の側面からＬＥＤの照射光を照射して前記導光板の発光面から発光させるＬＥＤ照明装置において、
前記反射板、ＬＥＤおよび導光板で構成される第１の発光部ユニットが、前記反射板、ＬＥＤおよび導光板で構成される第２の発光部ユニットの前記反射板と前記導光板の間の空間に摺動自在に支持され、
第１の発光部ユニットが第２の発光部ユニットに対してスライド格納された状態では積層状態にある第１の発光部ユニットの導光板および第２の発光部ユニットの導光板と、および第１の発光部ユニットの反射板により面発光照明が行なわれ、
第１の発光部ユニットが第２の発光部ユニットから引き出された状態では第１および第２の発光部ユニットのそれぞれの前記反射板、ＬＥＤおよび導光板によって面発光照明が行なわれることを特徴とするＬＥＤ照明装置。
【請求項２】
前記の第１の発光部ユニットが第２の発光部ユニットに対してスライド格納される構成を有する第１の発光部が、同様の構造を有する第２の発光部と回動軸を介して回動自在に結合されていることを特徴とする請求項１に記載のＬＥＤ照明装置。
【発明の詳細な説明】
【技術分野】
【０００１】
本発明は、導光板の側面からＬＥＤ（発光ダイオード）を光源とする照射光を照射して前記導光板の発光面から発光させるＬＥＤ照明装置に関する。
【背景技術】
【０００２】
近年、高輝度発光のＬＥＤが実現され、それまで主に表示用途に用いられてきたＬＥＤの照明用途への展開が進んでいる。ＬＥＤは、たとえば白熱球、蛍光灯などの発光素子に比して省エネルギー・長寿命である、という特徴があり、ＬＥＤ照明装置の将来性は今後ますますの広がりを見せるものと考えられる。
【０００３】
ＬＥＤは点光源であるため、ＬＥＤ照明装置において単純に点光源のまま対象物を照射するような構造を採用すると対象物の周囲に不要な影が発生し、かえって見づらい照明になってしまう問題がある。たとえば、高輝度ＬＥＤから対象物に直接照射する照明装置を用いて書類作成作業などを行なうと、作成者の手や筆記具の影が、従来の蛍光灯などの照明を用いた場合と比較して目立つようになり、コントラストの差からユーザの目が疲れやすくなる、という問題がある。また、ＬＥＤを多数並べて配置しＬＥＤ照明装置を構成することも考えられるが、このように直接照射のＬＥＤが複数ある構造では、その数に応じた複数の影の重なりが生じてますますユーザの眼精疲労を招く、という問題がある。
【０００４】
この点に鑑み、近年では導光板を用い、点光源であるＬＥＤからの入射光を導光板内で乱反射させ、導光板の出射面から面発光で照明を行なう構成が提案されている。たとえば特許文献１ではこの種の導光板を用いた面発光照明装置の基板交換に関する技術が記載されている。
【先行技術文献】
【特許文献】
【０００５】
【特許文献１】特願２００９−１１０２７８
【発明の概要】
【発明が解決しようとする課題】
【０００６】
上述のような導光板を用いて面発光で照明を行なう発光部（発光面）の面積は一定であった。用途に応じて発光部（発光面）の面積を調節できれば便利であると考えられるが、従来では発光部（発光面）の面積を変更できるような構成が知られていなかった。
【０００７】
たとえば作業者の手の影の影響により作業がしづらくなるといった場面で、都合の良い大きさに発光部（発光面）の面積を調節できれば、影の影響を抑え、作業がしやすくなり、また発光部（発光面）の面積を可変とすることにより、収納時や使わないときにサイズを小さくしておくことができる、などの利点が予想される。
【０００８】
そこで、本発明の課題は発光部（発光面）の面積、あるいは発光光量を用途に応じて変更できるようなＬＥＤ照明装置を提供することにある。
【課題を解決するための手段】
【０００９】
上記課題を解決するため、本発明においては、  後面に反射板を配置した導光板の側面からＬＥＤの照射光を照射して前記導光板の発光面から発光させるＬＥＤ照明装置において、前記反射板、ＬＥＤおよび導光板で構成される第１の発光部ユニットが、前記反射板、ＬＥＤおよび導光板で構成される第２の発光部ユニットの前記反射板と前記導光板の間の空間に摺動自在に支持され、第１の発光部ユニットが第２の発光部ユニットに対してスライド格納された状態では積層状態にある第１の発光部ユニットの導光板および第２の発光部ユニットの導光板と、および第１の発光部ユニットの反射板により面発光照明が行なわれ、第１の発光部ユニットが第２の発光部ユニットから引き出された状態では第１および第２の発光部ユニットのそれぞれの前記反射板、ＬＥＤおよび導光板によって面発光照明が行なわれる構成を採用した。
【００１０】
あるいはさらに、前記の第１の発光部ユニットが第２の発光部ユニットに対してスライド格納される構成を有する第１の発光部が、同様の構造を有する第２の発光部と回動軸を介して回動自在に結合される構成を採用した。
【発明の効果】
【００１１】
上記構成によれば、第１の発光部ユニットを第２の発光部ユニットに対してスライド格納した状態で、また、引き出した状態で面発光照明を行なうことができる。発光部ユニットをスライド格納状態とすることにより、点灯時は発光面の単位面積あたりの発光輝度を大きくし、スポット照明に近い照明効果を得られるとともに、また、ＬＥＤ照明装置の収納時や、不使用時のサイズを小さくしておくことができる。また、スライド格納機構を採用することにより、発光部面積可変の面発光照明装置を実現することができ、たとえばユーザの手の影の影響により作業がしづらくなる、または広いスペースへの照明範囲が必要である、といった状況において、発光部面積を広げることで影の影響が抑えられ、また照射領域が増えるため、ユーザの作業を容易にする利点がある。
【００１２】
また、第１の発光部が同様の構造を有する第２の発光部と回動軸を介して回動自在に結合される構成を採用すれば、より広範囲を均一に面発光照明することができ、また第１の発光部と第２の発光部が相互になす角度を変更することにより、照射角度を調節することができる。
【図面の簡単な説明】
【００１３】
【図１】本発明を採用したＬＥＤ照明装置の斜視図である。
【図２】図１のＬＥＤ照明装置の発光部廻りの構造を示した側面図である。
【図３】図１のＬＥＤ照明装置の発光部のスライド構造を示した側面図である。
【図４】図１のＬＥＤ照明装置の発光部の上面図である。
【図５】本発明を採用したＬＥＤ照明装置の発光部の異なる構造を示した側面図である。
【図６】図５の発光部を展開状態で示した上面図である。
【図７】図５の発光部の照明機能を示した説明図である。
【発明を実施するための形態】
【００１４】
以下、図面に示す実施例に基づいて本発明を説明する。以下では、電気スタンドのような形態のＬＥＤ照明装置の構成を例示する。ただし、以下に示すＬＥＤ照明装置の発光部の構成は、電気スタンドのみならず、発光部そのものを独立させて携帯可能としたような懐中電灯のような照明装置にも応用することができる。
【実施例１】
【００１５】
図１〜図４に本実施例のＬＥＤ照明装置の構成を示す。図１は本発明を採用した本実施例のＬＥＤ照明装置の斜視図、図２は図１のＬＥＤ照明装置の発光部廻りの側面図、図３は図１のＬＥＤ照明装置の発光部の側面図、図４は図１のＬＥＤ照明装置の発光部の上面図である。
【００１６】
図１は本実施例の電気スタンドの全体を示しており、図示のように本実施例の電気スタンドは基台部１、支柱部２、アーム部３、発光部４から成る。これら各部はたとえばプラスチックなどの材料から構成される。
【００１７】
基台部１は、外部のＡＣアダプタ（不図示）から後述のＬＥＤの点灯電流の供給を受ける不図示のコネクタ部を有するとともに、ＬＥＤ点灯のオン／オフを制御するスイッチ部５０を有する。スイッチ部５０から、アーム部３を経て発光部４までの内部には不図示のケーブルが配設される。このケーブルには後述のカールコード（図４）のようなフレキシブルタイプのものが用いられる。
【００１８】
基台部１の上には支柱部２が立設されている。本実施例の支柱部２、およびアーム部３は、それぞれ上部支柱２１と下部支柱２２、および下部アーム３１、上部アーム３３から成り、これらはいずれも軽量化や、デザイン性を高める目的で設けた長孔を有している。
【００１９】
上部支柱２１の長孔内には支軸２３を介してアーム部３の下部アーム３１が軸支されている。
【００２０】
また、下部アーム３１の上端には支軸３２を介して上部アーム３３が軸支されている。
【００２１】
そして上部アーム３３の先端には発光部ユニット４ａおよび４ｂから成る発光部４が装着されている。
【００２２】
発光部４は発光部ユニット４ａと、発光部ユニット４ａをスライド収容する発光部ユニット４ｂから構成され、図１は発光部ユニット４ａから発光部ユニット４ｂを引き出した状態を示している。
【００２３】
図２に支柱部２（上部支柱２１）、アーム部３（上部および下部アーム３１、３３）、および発光部４を側面から示す。図２においては、発光部４は、内部構造を透視（破断）的に示している。また、図２では発光部ユニット４ａは発光部ユニット４ｂに収容された状態になっている。
【００２４】
発光部４は発光部ユニット４ａおよび４ｂから構成される。発光部ユニット４ａは発光部ユニット４ｂに対してスライド収納可能であり、発光部ユニット４ａおよび４ｂは、導光板６ａ、６ｂ、およびこれら導光板６ａ、６ｂの側面にそれぞれ配置されたＬＥＤ５ａ、５ｂと、２枚の反射板７ａ、７ｂから構成されている。
【００２５】
図３は発光部ユニット４ａから発光部ユニット４ｂを引き出した状態で発光部ユニット４ａおよび発光部ユニット４ｂを示している。
【００２６】
図２および図３に示すように、発光部ユニット４ａおよび発光部ユニット４ｂのＬＥＤ５ａ、５ｂは導光板６ａ、６ｂの側面に配置され、この端縁を照射する。導光板６ａ、６ｂは、表面ないし裏面に主に乱反射によって面発光を生じるような加工（梨地加工やドット加工）が施してあり、導光板６ａ、６ｂの発光面は下方（図１、図３の下方）に向けてある。
【００２７】
ＬＥＤ５ａおよび５ｂはそれぞれ組み合わされる導光板６ａ、６ｂの各側面に複数個（たとえば図４の例では４個）ずつ等間隔で配置する。
【００２８】
発光部ユニット４ａおよび４ｂの背面（図１、図３における上面）は反射板７ａ、７ｂとなっている。ここでは簡略化のため発光部ユニット４ａおよび４ｂの筐体を兼ねているが、反射板７ａ、７ｂは発光部ユニット４ａおよび４ｂの筐体と別に設けてもよい。図３において、発光部ユニット４ａおよび４ｂの下面はそれぞれたとえば白色で光沢があるような（たとえば覗くと顔が映るような）部材で覆うか、反射拡散性の高い白色塗装加工を施しておくことが望ましく、これにより導光板６ａ、６ｂ下面の発光面から効率よく照明光を照射することができる。
【００２９】
発光部ユニット４ａは、発光部ユニット４ｂに対してスライド収容できるように構成されており、図２、図３に示すように発光部ユニット４ａは発光部ユニット４ｂの導光板６ｂおよび反射板７ｂの間に設けた空間にスライド収容される。発光部ユニット４ａは、発光部ユニット４ｂの両側内縁にそれぞれ設けたレール（不図示）によってスライド支持される。
【００３０】
発光部ユニット４ａは、所定の最大引き出し位置（たとえば図１の位置）まで引き出した後、それ以上引き出されて脱落しないよう、発光部ユニット４ａと発光部ユニット４ｂの係合部位の所定位置には不図示のストッパーを設けておく。
【００３１】
図４は図３の引き出し状態を上方から透過的に示している。発光部ユニット４ａに電源を供給するケーブル１２は、図示のようなカールコード（ないし他の伸縮性を有するフレキシブルなケーブル）から構成する。図４ではケーブル１２を判りやすくするため発光部ユニット４ａ、４ｂの外側に図示しているが、ケーブル１２は好ましくは発光部ユニット４ａ、４ｂ内の適当な空所に伸縮自在な状態で配置する。なお、図４において符号１１は導光板６ａ、６ｂや反射板７ａ、７ｂを所定位置にそれぞれ固定するためのクランプである。
【００３２】
以上の構成において、発光部ユニット４ａは発光部ユニット４ｂの導光板６ｂおよび反射板７ｂの間に設けた空間にスライド収容されるようになっている。このため、図２のように第一の発光部ユニット４ａが第二の発光部ユニット４ｂに格納されているときにスイッチ部５０により電源オンしてＬＥＤ５ａ、５ｂを点灯すると、積層状態にある導光板６ａ、６ｂは透明（ないし半透明）であるから重ね合わせても光を透過させるので、ＬＥＤ５ａおよび５ｂから出射された両方の光が合成されて導光板６ｂが面発光し、そのため発光面の（単位面積あたりの）発光輝度は本装置の最大のものとなる。図２の状態では反射板７ａの反射面のみが反射面として機能する。
【００３３】
一方、図３に示すように、第一の発光部ユニット４ａを引き出すと、照射面積が約２倍になる。発光面の（単位面積あたりの）発光輝度は図２の場合の半分になるが、発光部面積が大きくなることで、照射領域が増えて広いスペースの作業がしやすく、ユーザの作業エリアへの影の影響を少なくすることができる。
【００３４】
以上のようにして、本実施例のＬＥＤ照明装置はスライド格納機構を採用しており、第１の発光部ユニット４ａを第２の発光部ユニット４ｂに対してスライド格納した状態において、また、引き出した状態においても面発光照明を行なうことができる。発光部ユニットをスライド格納状態とすることにより、点灯時は発光面の単位面積あたりの発光輝度を大きくし、スポット照明に近い照明効果を得られるとともに、また、ＬＥＤ照明装置の収納時や、不使用時のサイズを小さくしておくことができる。また、スライド格納機構を採用することにより、発光部面積可変の面発光照明装置を実現することができ、たとえばユーザの手の影の影響により作業がしづらくなるといった状況において、発光部面積を広げることで影の影響が抑えられ、ユーザの作業を容易にする利点がある。
【実施例２】
【００３５】
図５〜図７に、上記実施例のスライド格納構造の発光部４と同じ構造の発光部８を回転軸を介して結合し、折り畳みできるようにした構造を示す。
【００３６】
図５および図６は上記実施例の図２および図４に相当し、図５は本実施例のＬＥＤ照明装置の発光部の構造を示した側面図、図６は図５の発光部を展開状態で示した上面図である。また、図７は図５の発光部の照明機能を示した説明図である。
【００３７】
図５、図６に示すように発光部８は発光部４と同一構造で、発光部ユニット８ａ、８ｂから成り、発光部ユニット８ａ、８ｂは発光部ユニット４ａ、４ｂと同様に導光板６ａ、６ｂ、およびこれら導光板６ａ、６ｂの側面にそれぞれ配置されたＬＥＤ５ａ、５ｂと、２枚の反射板７ａ、７ｂから構成されている。
【００３８】
発光部ユニット８ａ、８ｂは、発光部ユニット４ａ、４ｂに対して回動軸１３（図６）を介して回動自在に結合される。図５では、回動軸１３はスライド格納状態にある発光部ユニット４ａ、４ｂ発光部ユニット８ａ、８ｂの向こう側にあり不図示であるが、この回動軸１３を介して発光部ユニット８ａ、８ｂは発光部ユニット４ａ、４ｂの上に発光部ユニット４ａ、４ｂとは上下逆の向きで折り畳まれている（折り畳み格納状態）。
【００３９】
図６は、図５の折り畳み格納状態から、回動軸１３を介して発光部ユニット８ａ、８ｂを展開し、また、上述のスライド機構を介して発光部ユニット４ａ、８ａを発光部ユニット４ｂ、８ｂから引き出した状態を示している。
【００４０】
なお、回動軸１３は、図５に示すように発光部４、８の向こう側に隠れるサイズであり、その長さは図６に示すように発光部４、８が格納されているときのものとほぼ等しい。
【００４１】
図６に示すように、この状態では展開／引き出し状態では発光部面積は格納状態（図５あるいは上記実施例の図２）と比較して約４倍になり、より広範囲を均一に面発光照明することができる。また、図７に示すように回動軸１３を介して発光部４、８が相互になす角度を変更することにより、照射角度を調節することができる。なお、発光部ユニット８ａ、８ｂへの電源供給は回動軸１３内の電気接点やあるいはケーブル配線を介して行なうものとする。
【符号の説明】
【００４２】
１  基台部
２  支柱部
３  アーム部
４  発光部
５ａ、５ｂ  ＬＥＤ
６ａ、６ｂ  導光板
７ａ、７ｂ  反射板
８  発光部
１２  ケーブル
１３  回動軸
２１  上部支柱
２３、３２  支軸
３１  下部アーム
３３  上部アーム
５０  スイッチ部
【図１】
2011204497.tif 000003
【図２】
2011204497.tif 000004
【図３】
2011204497.tif 000005
【図４】
2011204497.tif 000006
【図５】
2011204497.tif 000007
【図６】
2011204497.tif 000008
【図７】
2011204497.tif 000009